(57)【要約】【課題】レバーをコネクタハウジングに仮係止するときの保持力を向上させ、正規の仮係止解除手順を経なければレバーの仮係止状態を容易に解除することができないレバー嵌合式コネクタを提供する。【解決手段】レバー嵌合式コネクタ１におけるレバー４には、レバー４を回動しレバー４所定位置にきたとき回動を停止するレバー側係止部２５を設ける。レバー側係止部２５に、レバー４の回動によってコネクタハウジング側係止部１７との仮係止が解除されないように保持する仮係止保持部２８を設ける。【選択図】図２
2015064957.tif 000002
【特許請求の範囲】
【請求項１】
相手コネクタが嵌合するコネクタハウジングと，
前記コネクタハウジングに取り付けられ、回動することで該コネクタハウジングに前記相手コネクタを挿入し嵌合させるレバーと，
前記レバーに設けられ、該レバーを回動し該レバー所定位置にきたとき回動を停止するレバー側係止部と，
前記コネクタハウジングに設けられ、前記相手コネクタを前記コネクタハウジングと嵌合させたとき、前記レバー側係止部が係合して前記レバーの回動を一時的に停止するコネクタハウジング側係止部と，
前記コネクタハウジングの外側にスライド可能に取り付けられ、前記レバーに係合し該レバーの回動を停止し前記相手コネクタと前記コネクタハウジングとの嵌合状態を保持する嵌合位置保障ロックと，
を備えるレバー嵌合式コネクタにおいて、
前記レバー側係止部に、前記レバーの回動によって前記コネクタハウジング側係止部との仮係止が解除されないように保持する仮係止保持部を設ける
ことを特徴とするレバー嵌合式コネクタ。
【請求項２】
請求項１に記載のレバー嵌合式コネクタにおいて、
前記コネクタハウジング側係止部は、弾性を有し、押し下げることができるように設ける
ことを特徴とするレバー嵌合式コネクタ。
【請求項３】
請求項１又は２に記載のレバー嵌合式コネクタにおいて、
前記仮係止保持部は、前記コネクタハウジング側係止部との係合箇所が面接触となるように設ける
ことを特徴とするレバー嵌合式コネクタ。
【請求項４】
請求項１、２又は３に記載のレバー嵌合式コネクタにおいて、
前記仮係止保持部は、断面略Ｖ字状、又は、凹状に形成される溝部である
ことを特徴とするレバー嵌合式コネクタ。
【発明の詳細な説明】
【技術分野】
【０００１】
本発明は、レバーの回動によって相手コネクタを嵌合させるレバー嵌合式コネクタに関する。
【背景技術】
【０００２】
従来、コネクタハウジング同士を嵌合する際の挿入力を低減するため、一方のコネクタハウジングにレバーを回動可能に設け、このレバーの回動操作によってコネクタハウジング同士の嵌合及び離脱を行えるようにしたレバー嵌合式コネクタに関しては、例えば、特許文献１に開示されているものが用いられてきた。
【０００３】
特許文献１に記載されたレバー嵌合式コネクタは、図１０（特許文献１の図１に相当）において、オスハウジング１１０と、このオスハウジング１１０の内部空間に挿入されるメスハウジング（特許文献１の図３参照）と、オスハウジング１１０にスライド可能に取り付けられる嵌合位置保障ロック１３０と、メスハウジングに回動可能に設けられる低挿入力用レバー（特許文献１の図５参照）と、を備えて構成されている。低挿入力レバーを回動操作によって押し下げていくとオスハウジング１１０とメスハウジングは嵌合を開始し互いに接近する。低挿入力レバーの押し下げが終了するとオスハウジング１１０とメスハウジングが完全に嵌合する。そして、嵌合位置保障ロック１３０をスライドさせ低挿入力レバーを覆う。すなわち、オスハウジング１１０とメスハウジングとの嵌合後に低挿入力レバーを嵌合位置保障ロック１３０で覆うことにより低挿入力レバーが押し下げ方向とは逆方向に回動するのを防止することができる。
【０００４】
上記特許文献１に記載のレバー嵌合式コネクタに替わるものとして、図１１に示すレバー嵌合式コネクタ２００が用いられている。レバー嵌合式コネクタ２００は、雄コネクタ（図示せず）と、雄コネクタを嵌合するコネクタハウジング２０２を有する雌コネクタ２０１と、雌コネクタ２０１に回動可能に設けられるレバー２０３と、雌コネクタ２０１の外側上面にスライド可能に取り付けられる嵌合位置保障ロック２１０と、を備えて構成されている。図１１に示す矢印Ｂは、コネクタハウジング２０２の先端側と後端側を示している。図１２において、コネクタハウジング２０２の上面には、レバー２０３の回動を一時的に阻止し、レバー２０３をコネクタハウジング２０２に仮係止するコネクタハウジング側係止部２０９が設けられている。コネクタハウジング側係止部２０９は、弾性を有し、上下方向に撓むように設けられている。また、コネクタハウジング側係止部２０９の先端には、断面凸状に形成された係合凸部２１１が設けられている。図１１において、レバー２０３は、一対のアーム部２０４と、一対のアーム部２０４を連結する連結部２０７と、を備えている。図１２において、連結部２０７には、コネクタハウジング側係止部２０９に係合するレバー側係止部２０８が設けられている。レバー側係止部２０８は、コネクタハウジング側係止部２０９に係合する部分がレバー２０３の回動を一時的に阻止し、レバー２０３を仮係止する仮係止部２１２として設けられている。なお、仮係止部２１２は、平面状に形成されている。
【０００５】
図１１において、雄コネクタと雌コネクタ２０１との嵌合は、雄コネクタを矢印Ｃの方向からコネクタハウジング２０２内に挿入することにより行う。雄コネクタを挿入する直前は、レバー２０３は、連結部２０７がコネクタハウジング２０２の上面後端に位置している。しかる後、コネクタハウジング２０２内に雄コネクタを挿入すると、連結部２０７をコネクタハウジング２０２の上面先端まで回動させる。そうすることにより、雄コネクタと雌コネクタ２０１は完全に嵌合した状態になる。図１２において、レバー２０３の連結部２０７をコネクタハウジング２０２の上面先端まで回動させると、レバー側係止部２０８の仮係止部２１２とコネクタハウジング側係止部２０９の係合凸部２１１とが当接しレバー側係止部２０８とコネクタハウジング側係止部２０９が係合する。そうすることにより、レバー２０３がコネクタハウジング２０２に仮係止される。その後、嵌合位置保障ロック２１０をコネクタハウジング２０２の上面先端側にスライドさせ、レバー２０３に係合させる。そうすることにより、レバー２０３がコネクタハウジング２０２に固定され、レバー２０３の回動が完全に阻止されてレバー２０３がコネクタハウジング２０２に本係止される。
【０００６】
雄コネクタと雌コネクタ２０１の嵌合を解除するには、まず、図１１において、嵌合位置保障ロック２１０をコネクタハウジング２０２の上面後端側にスライドする。そうすることにより、レバー２０３とコネクタハウジング２０２の本係止を解除する。その後、図１２において、作業者がコネクタハウジング側係止部２０９を矢印Ｄの方向に指で押し下げる。そうすることにより、レバー側係止部２０８とコネクタハウジング側係止部２０９の係合が外れ、レバー２０３の仮係止状態が解除される。なお、レバー２０３の仮係止状態を解除する正規の手順は、作業者がコネクタハウジング側係止部２０９を図１２に示す矢印Ｄの方向に押し下げて、レバー側係止部２０８とコネクタハウジング側係止部２０９の係合を外す手順を経るものである。したがって、上記正規の仮係止解除手順を経ず、仮係止状態のレバー２０３を強引に回動してレバー側係止部２０８とコネクタハウジング側係止部２０９の係合を外すことは、非正規の仮係止解除手順である。その後、コネクタハウジング側係止部２０９を押し下げた状態でレバー２０３の連結部２０７をコネクタハウジング２０２の上面後端まで回動する。そうすることによって、雄コネクタは雌コネクタ２０１から離脱する。
【先行技術文献】
【特許文献】
【０００７】
【特許文献１】特開２０１２−５４０５１号公報
【発明の概要】
【発明が解決しようとする課題】
【０００８】
ところで、図１１及び図１２に示す従来技術にあっては、仮係止部２１２が平面状に形成されている。このため、レバー側係止部２０８とコネクタハウジング側係止部２０９とが係合したとき、仮係止部２１２と係合凸部２１１とが点接触の状態となっている。したがって、レバー２０３をコネクタハウジング２０２に仮係止するときの保持力が不足し、レバー２０３の回動によってレバー側係止部２０８とコネクタハウジング側係止部２０９との係合が外れてしまうことがある。そして、レバー２０３の仮係止を解除する際、正規の仮係止解除手順であるコネクタハウジング側係止部２０９の押し下げをしない状態でレバー２０３を強引に回動させてレバー側係止部２０８とコネクタハウジング側係止部２０９の係合を外そうとすると、レバー２０３が破損してしまう場合があるという問題点があった。
【０００９】
本発明は、上記した事情に鑑みてなされたもので、レバーをコネクタハウジングに仮係止するときの保持力を向上させ、正規の仮係止解除手順を経なければレバーの仮係止状態を容易に解除することができないレバー嵌合式コネクタを提供することを課題とする。
【課題を解決するための手段】
【００１０】
上記課題を解決するためになされた請求項１記載の本発明のレバー嵌合式コネクタは、相手コネクタが嵌合するコネクタハウジングと，前記コネクタハウジングに取り付けられ、回動することで該コネクタハウジングに前記相手コネクタを挿入し嵌合させるレバーと，前記レバーに設けられ、該レバーを回動し該レバー所定位置にきたとき回動を停止するレバー側係止部と，前記コネクタハウジングに設けられ、前記相手コネクタを前記コネクタハウジングと嵌合させたとき、前記レバー側係止部が係合して前記レバーの回動を一時的に停止するコネクタハウジング側係止部と，前記コネクタハウジングの外側にスライド可能に取り付けられ、前記レバーに係合し該レバーの回動を停止し前記相手コネクタと前記コネクタハウジングとの嵌合状態を保持する嵌合位置保障ロックと，を備えるレバー嵌合式コネクタにおいて、前記レバー側係止部に、前記レバーの回動によって前記コネクタハウジング側係止部との仮係止が解除されないように保持する仮係止保持部を設けることを特徴とする。
【００１１】
このような特徴を有する本発明によれば、レバー側係止部に仮係止保持部を設けることで、レバーが回動しようとしても仮係止保持部にコネクタハウジング側係止部が当接しているので、レバー側係止部とコネクタハウジング側係止部との係合が容易に解除されるのを防止することができる。
【００１２】
請求項２記載の本発明のレバー嵌合式コネクタは、請求項１に記載のレバー嵌合式コネクタにおいて、前記コネクタハウジング側係止部は、弾性を有し、押し下げることができるように設けることを特徴とする。
【００１３】
このような特徴を有する本発明によれば、コネクタハウジング側係止部を押し下げることにより、レバー側係止部とコネクタハウジング側係止部との係合を容易に解除できる。
【００１４】
請求項３記載の本発明のレバー嵌合式コネクタは、請求項１又は２に記載のレバー嵌合式コネクタにおいて、前記仮係止保持部は、前記コネクタハウジング側係止部との係合箇所が面接触となるように設けることを特徴とする。
【００１５】
このような特徴を有する本発明によれば、仮係止保持部にコネクタハウジング側係止部が係合すると仮係止保持部とコネクタハウジング側係止部とが面接触することになる。そうすると、レバー側係止部は、コネクタハウジング側係止部との係合箇所が点接触となる場合よりもコネクタハウジング側係止部との接触面積が増える。したがって、レバー側係止部とコネクタハウジング側係止部との接触による抵抗を大きくすることができるため、レバーが回動しようとしてもレバー側係止部とコネクタハウジング側係止部との係合が容易に解除されるのを防止することができる。
【００１６】
請求項４記載の本発明のレバー嵌合式コネクタは、請求項１、２又は３に記載のレバー嵌合式コネクタにおいて、前記仮係止保持部は、断面略Ｖ字状、又は、凹状に形成される溝部であることを特徴とする。
【００１７】
このような特徴を有する本発明によれば、仮係止保持部を断面略Ｖ字状又は凹状に形成される溝部として設けることで、コネクタハウジング側係止部は、溝部の内面に面接触することになる。また、溝部がコネクタハウジング側係止部との引っ掛かり部分となる。そうすると、レバーが回動しようとすると、コネクタハウジング側係止部は、溝部の内面に面接触することに加え、溝部に引っ掛かって回動が規制される。したがって、レバーが回動しようとするときの溝部とコネクタハウジング側係止部との接触による抵抗をより大きくすることができる。
【発明の効果】
【００１８】
請求項１に記載された本発明によれば、レバー側係止部とコネクタハウジング側係止部との係合が解除されるのを防止することができるため、レバーをコネクタハウジングに仮係止するときの保持力を向上させ、レバーが仮係止状態を容易に解除されないようにすることができる。したがって、レバーの仮係止を解除する際、レバーを強引に回動してレバー側係止部とコネクタハウジング側係止部の係合を外すことができないようになり、レバーの破損を防止することができるという効果を奏する。
【００１９】
請求項２に記載された本発明によれば、コネクタハウジング側係止部を押し下げることにより、レバー側係止部とコネクタハウジング側係止部との係合を容易に解除することができるという効果を奏する。
【００２０】
請求項３に記載された本発明によれば、レバー側係止部は、コネクタハウジング側係止部との係合箇所が点接触となる場合よりもコネクタハウジング側係止部との接触面積が増える。そうすると、レバー側係止部とコネクタハウジング側係止部との接触による抵抗が大きくなり、レバーが回動しようとしてもレバー側係止部とコネクタハウジング側係止部との係合が解除されるのを防止することができる。すなわち、レバーをコネクタハウジングに仮係止するときの保持力をより一層向上させ、レバーが仮係止状態を容易に解除されないようにすることができる。したがって、レバーの仮係止を解除する際、レバーを強引に回動してレバー側係止部とコネクタハウジング側係止部の係合を外すことができないようになり、より確実にレバーの破損を防止することができるという効果を奏する。
【００２１】
請求項４に記載された本発明によれば、レバーが回動しようとすると、コネクタハウジング側係止部は、溝部の内面に面接触することに加え、溝部に引っ掛かって回動が規制される。そうすると、レバーが回動しようとするときの溝部とコネクタハウジング側係止部との接触による抵抗をより大きくすることができる。すなわち、レバーをコネクタハウジングに仮係止するときの保持力をより一層向上させ、レバーが仮係止状態を容易に解除されないようにすることができる。したがって、レバーの仮係止を解除する際、レバーを強引に回動してレバー側係止部とコネクタハウジング側係止部の係合を外すことができないようになり、より確実にレバーの破損を防止することができるという効果を奏する。
【図面の簡単な説明】
【００２２】
【図１】本発明のレバー嵌合式コネクタの第１の実施形態を示す展開斜視図である。
【図２】図１におけるレバーの拡大斜視図である。
【図３】図２におけるレバーの断面図である。
【図４】レバー嵌合式コネクタの平面図及び側面図である。
【図５】レバー嵌合式コネクタの平面図及び側面図である。
【図６】図５の断面図である。
【図７】レバー嵌合式コネクタの平面図である。
【図８】本発明のレバー嵌合式コネクタの第２の実施形態におけるレバーの拡大斜視    図である。
【図９】図８の断面図である。
【図１０】従来例１の展開斜視図である。
【図１１】従来例２の斜視図である。
【図１２】図１１の断面図である。
【発明を実施するための形態】
【００２３】
以下、図面を参照しながら本発明の実施例について詳細に説明する。
【実施例１】
【００２４】
以下、図１−７を参照しながら実施例１を説明する。図１は本発明のレバー嵌合式コネクタの第１の実施形態を示す展開斜視図、図２は図１におけるレバーの矢印Ａで示す部分の拡大斜視図、図３は図２におけるレバーのＡ−Ａ間断面図、図４（ａ）はレバー嵌合式コネクタの平面図、図４（ｂ）は（ａ）の側面図、図５（ａ）はレバー嵌合式コネクタの平面図、図５（ｂ）は（ａ）の側面図、図６は図５において矢印Ｅで示す部分のＢ−Ｂ間断面図、図７はレバー嵌合式コネクタの平面図である。
【００２５】
図１において、引用符号１は、レバー嵌合式コネクタを示している。レバー嵌合式コネクタ１は、雄コネクタ２と、雌コネクタ３と、レバー４と、嵌合位置保障ロック５と、を備えて構成されている。まず、レバー嵌合式コネクタ１の上記各構成について説明する。  なお、本実施例のレバー嵌合式コネクタ１において、雄コネクタ２側を先端側と、雌コネクタ３側を後端側というものとする。
【００２６】
雄コネクタ２は、雌コネクタ３の相手コネクタであって、一対の端子６と、コネクタハウジング７と、シェル９とを備えて構成されている。一対の端子６は、導電性の金属により形成され、先端には貫通孔６ａが形成されている。コネクタハウジング７は、絶縁性の合成樹脂により形成されている。コネクタハウジング７の内部には、一対の端子キャビティ（図示せず）が設けられ、この端子キャビティのそれぞれに端子６が挿入され保持されている。コネクタハウジング７の後端側には所定の間隔をあけて延出する一対の嵌合ガイド８が設けられている。一対の嵌合ガイド８は、後端側の側面にカム軸１０が設けられている。シェル９は導電性の金属から形成される筒状の部材であって、コネクタハウジング７の後端側に設けられている。
【００２７】
雌コネクタ３は、複数（本実施例では２本）の電線１２の端末に設けられるものであって、雄コネクタ２が嵌合するコネクタハウジング１１を備えている。コネクタハウジング１１は、相手コネクタ嵌合部１３と、開口部１４と、嵌合ガイド溝１５と、回動軸１６と、コネクタハウジング側係止部１７と、一対のガイドリブ１８と、第１コネクタハウジング側ロック部３５と、第２コネクタハウジング側ロック部３６と、を備えて構成されている。相手コネクタ嵌合部１３は、コネクタハウジング１１の内部に形成され、相手コネクタ（本実施例では雄コネクタ２）が嵌合する部分として形成されている。開口部１４はコネクタハウジング１１の先端側に開口形成されるとともに、相手コネクタ嵌合部１３に連続している。なお、相手コネクタ嵌合部１３及び開口部１４は、シェル９が挿通可能な大きさに形成されている。
【００２８】
嵌合ガイド溝１５は、コネクタハウジング１１の側面の先端側に設けられている。嵌合ガイド溝１５は、コネクタハウジング１１の両側面の開口端部からコネクタハウジング１１の長手方向に向かって切り欠き形成されている。嵌合ガイド溝１５は、嵌合ガイド８と係合可能に形成されている。回動軸１６は、コネクタハウジング１１にレバー４を回動可能に取り付ける部分として設けられている。
【００２９】
コネクタハウジング側係止部１７は、コネクタハウジング１１の外側上面の先端側に設けられている。コネクタハウジング側係止部１７は、コネクタハウジング１１の外側上面に連続して舌片状に形成されている。コネクタハウジング側係止部１７は、コネクタハウジング１１の先端側に突出するように形成されている。コネクタハウジング側係止部１７は、弾性を有し、上下方向に撓むことができるように設けられている。コネクタハウジング側係止部１７の先端は、係合凸部１９として形成されている。図６において、係合凸部１９は、断面が略円弧状に形成されている。
【００３０】
図１において、一対のガイドリブ１８は、コネクタハウジング１１の外側上面から上方に向けてリブ状に突設されている。第１コネクタハウジング側ロック部３５、及び、第２コネクタハウジング側ロック部３６は、コネクタハウジング側係止部１７の近傍に設けられている。第１コネクタハウジング側ロック部３５は、略箱状に突設され、係合孔３７が貫通形成されている。第２コネクタハウジング側ロック部３６は、略箱状に突設され、係合孔３８が貫通形成されている。
【００３１】
レバー４は、一対のアーム部２０と、連結部２１とを備えて構成されている。一対のアーム部２０は、回動軸孔２２と、カム溝２３と、を備えて構成されている。回動軸孔２２は、コネクタハウジング１１の回動軸１６が挿通される貫通孔として形成されている。カム溝２３は、雄コネクタ２における嵌合ガイド８に設けられたカム軸１０が係合可能な切り欠き溝として形成されている。
【００３２】
連結部２１は、一対のアーム部２０を連結する部分として形成されている。図２において、連結部２１は、操作部２４と、レバー側係止部２５と、レバー側ロック部２６と、を備えて構成されている。操作部２４は、連結部２１の略中間部に設けられるとともに、レバー４の回動操作を行う部分として設けられている。
【００３３】
レバー側係止部２５は、本実施例のレバー嵌合式コネクタ１における特徴部分であって、図１に示すコネクタハウジング１１におけるコネクタハウジング側係止部１７と係合する部分として設けられている。レバー側係止部２５について、より詳しく説明すると、図２において、レバー側係止部２５は、連結部２１の略中間部に突設されている。レバー側係止部２５は、レバー４を回動させて、図１に示すコネクタハウジング側係止部１７に係合したとき、係合凸部１９が当接する箇所に溝部（仮係止保持部）２８を設けている。溝部２８は、連結部２１の長手方向にのびて形成されている。図３において、溝部２８は、断面が緩やかな略Ｖ字状に形成されている。溝部２８の内側に形成される内面２９のうち、溝の深さが最も深く形成されている部分が底部３０となっている。底部３０は断面が略円弧状に形成されている。
【００３４】
図２において、レバー側ロック部２６は、連結部２１におけるレバー側係止部２５の近傍に突設されている。レバー側ロック部２６は、略コ字状に形成され、略中央部に係合孔３１が形成されている。
【００３５】
図１において、嵌合位置保障ロック５は、嵌合位置保障ロック本体３２と、第１ロックアーム３３と、第２ロックアーム３４と、を備えて構成されている。嵌合位置保障ロック本体３２は、一対のガイドリブ１８にスライド可能に取り付けられている。第１ロックアーム３３、及び、第２ロックアーム３４は、それぞれ、嵌合位置保障ロック本体３２の側部から延出するように設けられている。第１ロックアーム３３の先端には、第１コネクタハウジング側ロック部３５の係合孔３７に対する引っ掛かり部分となるロック爪部３９が設けられている。第２ロックアーム３４の先端には、第２コネクタハウジング側ロック部３６の係合孔３８に対する引っ掛かり部分となるロック爪部４０が設けられている。
【００３６】
つづいて、雄コネクタ２と雌コネクタ３とを嵌合する作業手順について説明する。
まず、図１において、雄コネクタ２を矢印Ｂの方向に移動させ、シェル９を雌コネクタ３におけるコネクタハウジング１１の開口部１４から相手コネクタ嵌合部１３内に挿入する。そうすると、図４に示す雄コネクタ２は、雌コネクタ３に嵌合を開始する前の状態におかれる。なお、図４（ｂ）において、カム軸１０は、カム溝２３に係合されている。
【００３７】
つづいて、図４（ｂ）においてレバー４を矢印Ｃの方向に回動する。このレバー４の回動に伴ってカム軸１０がカム溝２３に摺接することにより押圧され、レバー４の回動にしたがってカム溝２３内を矢印Ｄの方向に移動する。そうすることにより、カム軸１０と回動軸１６との距離が縮まり、雄コネクタ２と雌コネクタ３が互いに接近する。
【００３８】
レバー４の回動を続けると、図５において、連結部２１がコネクタハウジング１１の先端側に回動すると、雄コネクタ２は、雌コネクタ３に完全に嵌合した状態になる。図６においてレバー４は、係合凸部１９を乗り越えて、回動が停止され、一時的に係止されるため、コネクタハウジング１１に仮係止状態になる。
【００３９】
図６において、レバー４をコネクタハウジング１１に仮係止した状態を詳しく説明する。
レバー４のレバー側係止部２５は、コネクタハウジング１１のコネクタハウジング側係止部１７と係合している。このとき、レバー側係止部２５の溝部２８にコネクタハウジング側係止部１７の係合凸部１９が当接している。そして、係合凸部１９は、溝部２８の内面２９及び底部３０に面接触の状態になっている。すなわち、溝部２８は、係合凸部１９と、溝部２８の内面２９及び底部３０との面接触により、レバー４が回動しようとする動きに対して抵抗することになる。また、係合凸部１９は、溝部２８内に引っ掛かることになる。すなわち、溝部２８内に係合凸部１９が引っ掛かることにより、係合凸部１９と、溝部２８の内面２９及び底部３０との面接触に加え、レバー４が回動しようとする動きに対して係合凸部１９と溝部２８との抵抗がより大きくなる。
【００４０】
図７において、嵌合位置保障ロック５をコネクタハウジング１１の上面先端側にスライドさせる。そうすることにより、第１ロックアーム３３が第１コネクタハウジング側ロック部３５の係合孔３７に挿通して係合するとともに、図２に示すレバー側ロック部２６の係合孔３１にも挿通して係合する。また、図７において、第２ロックアーム３４が第２コネクタハウジング側ロック部３６の係合孔３８に挿通し係合する。そうすることにより、レバー４がコネクタハウジング１１に本係止される。したがって、レバー４の回動が完全に停止し、雄コネクタ２と雌コネクタ３との嵌合が保持される。以上により、雄コネクタ２と雌コネクタ３の嵌合作業が完了する。
【００４１】
つづいて、雄コネクタ２と雌コネクタ３の嵌合を解除する作業手順について説明する。
図７において、まず、嵌合位置保障ロック５をコネクタハウジング１１の上面後端側にスライドさせ、レバー４とコネクタハウジング１１の本係止を解除する。
【００４２】
しかる後、図６において、作業者がコネクタハウジング側係止部１７を矢印Ｆの方向に指で押し下げる。コネクタハウジング側係止部１７を押し下げていくと、コネクタハウジング側係止部１７は、係合凸部１９が溝部２８の内面２９を摺接しながら下方に撓んでいき、レバー側係止部２５との係合が外れる。そうすることにより、レバー４の仮係止が解除される。その後、コネクタハウジング側係止部１７を押し下げた状態でレバー４の連結部２１をコネクタハウジング１１の後端側に回動すると、雄コネクタ２は、雌コネクタ３から離脱する。以上により、雄コネクタ２と雌コネクタ３の嵌合を解除する作業が完了する。
【００４３】
以上、図１−７を参照しながら説明してきたように、本実施例のレバー嵌合式コネクタ１によれば、レバー側係止部２５に溝部（仮係止保持部）２８を設けることで、レバー４が回動しようとしても溝部２８にコネクタハウジング側係止部１７が当接しているので、レバー側係止部２５とコネクタハウジング側係止部１７との係合が容易に解除されるのを防止することができる。
【００４４】
また、本実施例のレバー嵌合式コネクタ１によれば、コネクタハウジング側係止部１７を押し下げることにより、レバー側係止部２５とコネクタハウジング側係止部１７との係合を解除できる。
【００４５】
また、本実施例のレバー嵌合式コネクタ１によれば、溝部（仮係止保持部）２８にコネクタハウジング側係止部１７が係合すると溝部２８とコネクタハウジング側係止部１７とが面接触することになる。そうすると、レバー側係止部２５は、コネクタハウジング側係止部１７との係合箇所が点接触となる場合よりもコネクタハウジング側係止部１７との接触面積が増える。したがって、レバー側係止部２５とコネクタハウジング側係止部１７との接触による抵抗を大きくすることができるため、レバー４が回動しようとしてもレバー側係止部２５とコネクタハウジング側係止部１７との係合が容易に解除されるのを防止することができる。
【００４６】
さらに、本実施例のレバー嵌合式コネクタ１によれば、仮係止保持部２８を断面が緩やかな略Ｖ字状の溝部２８として設けることで、コネクタハウジング側係止部１７は、溝部２８の内面２９及び底部３０に面接触することになる。また、溝部２８がコネクタハウジング側係止部１７との引っ掛かり部分となる。そうすると、レバー４が回動しようとすると、コネクタハウジング側係止部１７は、溝部２８の内面２９及び底部３０に面接触することに加え、溝部２８に引っ掛かって回動が規制される。したがって、レバー４が回動しようとするときの溝部２８とコネクタハウジング側係止部１７との接触による抵抗をより大きくすることができる。
【００４７】
このような本実施例のレバー嵌合式コネクタ１によれば、レバー４をコネクタハウジング１１に仮係止した状態において、レバー側係止部２５の溝部２８とコネクタハウジング側係止部１７の係合凸部１９とが面接触するとともに、係合凸部１９が溝部２８内に引っ掛かる。そうすると、レバー側係止部２５における係合凸部１９が当接する部分に溝部２８を設けない場合と比べて、レバー４をコネクタハウジング１１に仮係止するときの保持力を向上させることができる。すなわち、レバー４を回動しようとしてもレバー４の仮係止を容易に解除できないようにすることができる。したがって、レバー４の仮係止を解除する際、レバー４を強引に回動してレバー側係止部２５とコネクタハウジング側係止部１７の係合を外すことができないようになる。
【００４８】
これに対して、図１１における従来のレバー嵌合式コネクタ２００は、図１２に示すように、レバー側係止部２０８の仮係止部２１２が平面状に形成されている。すなわち、レバー側係止部２０８とコネクタハウジング側係止部２０９とが係合すると、仮係止部２１２と係合凸部２１１とが点接触の状態となる。また、仮係止部２１２には、係合凸部２１１が引っ掛かる部分が形成されていない。すなわち、レバー２０３が回動しようとしたとき、係合凸部２１１が仮係止部２１２に引っ掛からない。そうすると、レバー２０３をコネクタハウジング２０２に仮係止しても、レバー２０３を回動しようとしたとき、レバー側係止部２０８は、コネクタハウジング側係止部２０９との係合を保持することができない。すなわち、レバー２０３を強引に回動しようとすると、レバー側係止部２０８とコネクタハウジング側係止部２０９の係合が外れ、レバー２０３が破損する場合がある。
【００４９】
以上からも分かるように、本実施例のレバー嵌合式コネクタ１によれば、レバー側係止部２５とコネクタハウジング側係止部１７との係合が解除されるのを防止することができるため、レバー４をコネクタハウジング１１に仮係止するときの保持力を向上させ、レバー４が仮係止状態を容易に解除されないようにすることができる。したがって、レバー４の仮係止を解除する際、レバー４を強引に回動してレバー側係止部２５とコネクタハウジング側係止部１７の係合を外すことができないようになり、レバー４の破損を防止することができる。
【００５０】
また、本実施例のレバー嵌合式コネクタ１によれば、コネクタハウジング側係止部１７を押し下げることにより、レバー側係止部２５とコネクタハウジング側係止部１７との係合を解除できる。
【００５１】
また、本実施例のレバー嵌合式コネクタ１によれば、レバー側係止部２５は、コネクタハウジング側係止部１７との係合箇所が点接触となる場合よりもコネクタハウジング側係止部１７との接触面積が増える。そうすると、レバー側係止部２５とコネクタハウジング側係止部１７との接触による抵抗が大きくなり、レバー４が回動しようとしてもレバー側係止部２５とコネクタハウジング側係止部１７との係合が解除されるのを防止することができる。すなわち、レバー４をコネクタハウジング１１に仮係止するときの保持力をより一層向上させ、レバー４が仮係止状態を容易に解除されないようにすることができる。したがって、レバー４の仮係止を解除する際、レバー４を強引に回動してレバー側係止部２５とコネクタハウジング側係止部１７の係合を外すことができないようになり、より確実にレバー４の破損を防止することができる。
【００５２】
さらに、本実施例のレバー嵌合式コネクタ１によれば、レバー４が回動しようとすると、コネクタハウジング側係止部１７は、溝部２８の内面２９及び底部３０に面接触することに加え、溝部２８に引っ掛かって回動が規制される。そうすると、レバー４が回動しようとするときの溝部２８とコネクタハウジング側係止部１７との接触による抵抗をより大きくすることができる。すなわち、レバー４をコネクタハウジング１１に仮係止するときの保持力をより一層向上させ、レバー４が仮係止状態を容易に解除されないようにすることができる。したがって、レバー４の仮係止を解除する際、レバー４を強引に回動してレバー側係止部２５とコネクタハウジング側係止部１７の係合を外すことができないようになり、より確実にレバー４の破損を防止することができる。
【実施例２】
【００５３】
以下、図８及び図９を参照しながら実施例２を説明する。図８は本発明のレバー嵌合式コネクタの第２の実施形態におけるレバーの拡大斜視図、図９は図８におけるＡ−Ａ間断面図である。
なお、実施例２は、実施例１におけるレバー４をレバー５０に変更した点以外は実施例１と同じである。したがって、レバー５０以外の構成の説明は省略する。
【００５４】
図８において、レバー５０の連結部５１の略中間部からは、レバー側係止部５２が突設されている。レバー側係止部５２は、レバー５０を回動させて、図１に示すコネクタハウジング側係止部１７に係合したとき、係合凸部１９（図１参照）が当接する箇所に溝部（仮係止保持部）５３を設けている。図８において、溝部５３は、連結部５１の長手方向にのびて形成されている。図９において、溝部５３は、断面略凹状に形成される溝として設けられている。本実施例において、溝部５３の内面５４は、断面が緩やかな略円弧状に形成されている。
【００５５】
このような本実施例のレバー嵌合式コネクタによれば、レバー５０を図１におけるコネクタハウジング１１に仮係止した状態において、レバー側係止部５２の溝部５３とコネクタハウジング側係止部１７の係合凸部１９（図１参照）とを面接触させることができる。また、係合凸部１９を溝部５３内に引っ掛けることができる。
【００５６】
以上、図８及び図９を参照しながら説明してきたように、本実施例のレバー嵌合式コネクタによれば、レバー側係止部５２に断面略凹状に形成される溝部５３を設けるとともに、溝部５３の内面５４を断面が緩やかな略円弧状に形成することから、実施例１の効果を奏することができる。
【００５７】
この他、本発明は本発明の主旨を変えない範囲で種々変更実施可能なことは勿論である。
【符号の説明】
【００５８】
１…レバー嵌合式コネクタ、  ２…雄コネクタ（相手コネクタ）、  ３…雌コネクタ、  ４…レバー、  ５…嵌合位置保障ロック、  ６…端子、  ６ａ…貫通孔、  ７，１１…コネクタハウジング、  ８…嵌合ガイド、  ９…シェル、  １０…カム軸、  １２…電線、  １３…相手コネクタ嵌合部、  １４…開口部、  １５…嵌合ガイド溝、  １６…回動軸、  １７…コネクタハウジング側係止部、  １８…ガイドリブ、  １９…係合凸部、  ２０…アーム部、  ２１…連結部、  ２２…回動軸孔、  ２３…カム溝、  ２４…操作部、  ２５…レバー側係止部、  ２６…レバー側ロック部、  ２８，５３…溝部（仮係止保持部）、  ２９…内面、  ３０…底部、  ３１，３７，３８…係合孔、  ３２…嵌合位置保障ロック本体、  ３３…第１ロックアーム、  ３４…第２ロックアーム、  ３５…第１コネクタハウジング側ロック部、  ３６…第２コネクタハウジング側ロック部、  ３９，４０…ロック爪部
【図１】
2015064957.tif 000003
【図２】
2015064957.tif 000004
【図３】
2015064957.tif 000005
【図４】
2015064957.tif 000006
【図５】
2015064957.tif 000007
【図６】
2015064957.tif 000008
【図７】
2015064957.tif 000009
【図８】
2015064957.tif 000010
【図９】
2015064957.tif 000011
【図１０】
2015064957.tif 000012
【図１１】
2015064957.tif 000013
【図１２】
2015064957.tif 000014